(57)【要約】【課題】  使用者がＬＥＤライトを使用するときに防犯ブザーを動作させるための電池残量が十分であるのか否かを認識できるＬＥＤライト付き防犯ブザーを提供する。【解決手段】  ＬＥＤライト１３と、電池残量を表示する表示部１４と、ＬＥＤライト１３を点灯／消灯するライトスイッチ１５とを備え、ライトスイッチ１５をオンにしたときに、電池残量が特定レベル以下であれば、表示部１４を点灯又は点滅させるＬＥＤライト付き防犯ブザーである。【選択図】        図１
0003206713.tif 000002
【実用新案登録請求の範囲】
【請求項１】
ＬＥＤライトを備えた防犯ブザーであって、
電池残量を表示する表示部と、
前記ＬＥＤライトを点灯させるスイッチとを有し、
前記表示部が、前記スイッチをオンにした場合に、電池残量が特定レベル以下であれば、点灯又は点滅することを特徴とするＬＥＤライト付き防犯ブザー。
【請求項２】
ＬＥＤライトの色と表示部の色を異なるものとしたことを特徴とする請求項１記載のＬＥＤライト付き防犯ブザー。
【請求項３】
表示部を本体内蔵のＬＥＤライトとしたことを特徴とする請求項１又は２記載のＬＥＤライト付き防犯ブザー。
【請求項４】
表示部は、ＬＥＤライトが点灯してから特定時間点灯又は点滅することを特徴とする請求項１乃至３のいずれか記載のＬＥＤライト付き防犯ブザー。
【請求項５】
防犯ブザーの引き抜きスイッチピンを落下防止のスイッチピンとしたことを特徴とする請求項１乃至４のいずれか記載のＬＥＤライト付き防犯ブザー。
【考案の詳細な説明】
【技術分野】
【０００１】
本考案は、ＬＥＤ（Light Emitting Diode）ライト付き防犯ブザーに係り、特に、電池残量を効率的に報知できるＬＥＤライト付き防犯ブザーに関する。
【背景技術】
【０００２】
［先行技術の説明］
従来のＬＥＤライト付き防犯ブザーは、ＬＥＤライトと防犯ブザーを組み合わせたものであった。
但し、ＬＥＤライト付き防犯ブザーにおいて、ＬＥＤライトはよく使うものの、防犯ブザーは非常用であるため、ほとんど使うことがない。
また、防犯ブザーでは、大音量を発生させるために、大きな電流が必要である。
【０００３】
［関連技術］
尚、関連する先行技術としては、特許第５３７６０２０号公報「懐炉」（三洋電機株式会社）［特許文献１］、特公昭６２−５６６０１号公報「携帯用ライト付き防犯ブザー」（松下電器産業株式会社）［特許文献２］、実用新案登録第３１６６１７２号公報「ライト付き防犯ブザー」（株式会社ヨシオ）［特許文献３］、実用新案登録第３１９７９４７号公報「携帯型防犯ブザーとＬＥＤライトの併設装置」（西岡達雄）［特許文献４］がある。
【０００４】
特許文献１には、懐炉であって、防犯ブザーの機能も備え、ＬＥＤライトを備えることが記載されている。
特許文献２には、電球のライト付き防犯ブザーが記載されている。
特許文献３，４には、ＬＥＤライト付き防犯ブザーが記載されている。
【先行技術文献】
【特許文献】
【０００５】
【特許文献１】特許第５３７６０２０号公報
【特許文献２】特公昭６２−５６６０１号公報
【特許文献３】実用新案登録第３１６６１７２号公報
【特許文献４】実用新案登録第３１９７９４７号公報
【考案の概要】
【考案が解決しようとする課題】
【０００６】
しかしながら、従来のＬＥＤライト付き防犯ブザーでは、ＬＥＤライトを頻繁に使用していると、電池残量が少なくなり、非常時に防犯ブザーで大音量を発生できず、役目を果たさないという問題点があった。
【０００７】
特許文献１には、電池残量が特定のレベルを低下すると、電池残量が少なくなったことを知らせる機能があるが、使用者の操作とは無関係に報知するため、使用者が気付きにくいものである。
また、特許文献２〜４には、電池残量の低下についてＬＥＤライトを点灯させるときに報知することは記載されていない。
【０００８】
本考案は上記実状に鑑みて為されたもので、使用者がＬＥＤライトを使用するときに防犯ブザーを動作させるための電池残量が十分であるのか否かを認識できるＬＥＤライト付き防犯ブザーを提供することを目的とする。
【課題を解決するための手段】
【０００９】
上記従来例の問題点を解決するための本考案は、ＬＥＤライトを備えたＬＥＤライト付き防犯ブザーであって、電池残量を表示する表示部と、ＬＥＤライトを点灯させるスイッチとを有し、表示部が、スイッチをオンにした場合に、電池残量が特定レベル以下であれば、点灯又は点滅することを特徴とする。
【００１０】
また、本考案は、上記ＬＥＤライト付き防犯ブザーにおいて、ＬＥＤライトの色と表示部の色を異なるものとしたことを特徴とする。
【００１１】
また、本考案は、上記ＬＥＤライト付き防犯ブザーにおいて、表示部を本体内蔵のＬＥＤライトとしたことを特徴とする。
【００１２】
また、本考案は、上記ＬＥＤライト付き防犯ブザーにおいて、表示部が、ＬＥＤライトが点灯してから特定時間点灯又は点滅することを特徴とする。
【００１３】
また、本考案は、上記ＬＥＤライト付き防犯ブザーにおいて、防犯ブザーの引き抜きスイッチピンを落下防止のスイッチピンとしたことを特徴とする。
【考案の効果】
【００１４】
本考案によれば、電池残量を表示する表示部と、ＬＥＤライトを点灯させるスイッチとを有し、表示部が、スイッチをオンにした場合に、電池残量が特定レベル以下であれば、点灯又は点滅するＬＥＤライト付き防犯ブザーとしているので、スイッチをオンしてＬＥＤライトを使用する時に、電池残量が低下していれば、その低下を使用者に確実に報知でき、電池交換を促して防犯機能を高める効果がある。
【図面の簡単な説明】
【００１５】
【図１】本ブザーの正面説明図である。
【図２】本ブザー右側面説明図である。
【図３】本ブザーの背面説明図である。
【図４】本ブザーの底面説明図である。
【考案を実施するための形態】
【００１６】
本考案の実施の形態について図面を参照しながら説明する。
［実施の形態の概要］
本考案の実施の形態に係るＬＥＤライト付き防犯ブザーは、ＬＥＤライトと、電池残量を表示する表示部と、ＬＥＤライトを点灯／消灯するライトスイッチとを備え、ライトスイッチをオンにしたときに、電池残量が特定レベル以下であれば、表示部を点灯又は点滅させるものであり、ＬＥＤライト使用時に、電池残量の低下を使用者に確実に報知できるものである。
【００１７】
［本ブザー：図１〜４］
本考案の実施の形態に係るＬＥＤライト付き防犯ブザー（本ブザー）について図１〜４を参照しながら説明する。図１は、本ブザーの正面説明図であり、図２は、本ブザー右側面説明図であり、図３は、本ブザーの背面説明図あり、図４は、本ブザーの底面説明図である。
本ブザーは、図１に示すように、本体１に、ＬＥＤライト１３と、電池残量を表示する表示部１４と、ＬＥＤライトスイッチ（ライトスイッチ）１５と、防犯ブザースイッチピン（ブザースイッチピン）１６と、スピーカー１７と、その他の各部とが設けられている。
【００１８】
本ブザーの各部について具体的に説明する。
［本体１：図１，２，４］
本ブザーの本体１は、箱部１２と、蓋部１１とを有している。
箱部１２は、図２，４に示すように、底面の四辺に壁が形成されているが、長辺に接する壁は全体に形成され、短辺に接する壁は中央部分を除いて壁が形成されている。
そして、蓋部１１は、正面だけでなく、底面と平面（上面）も構成している。つまり、本体１の底面の短辺に接する壁は、蓋部１１の底面と平面の部材によって形成されている。
【００１９】
［本体１の正面］
図１に示すように、本体１の正面（蓋部１１の正面）には、表示部１４、ライトスイッチ１５と、スピーカー１７とを有している。
［表示部１４］
表示部１４は、本体１の内部に赤色のＬＥＤライトを装備した、本体１内蔵のものであって、電池残量が特定レベル以下となった場合に点灯又は点滅する。
尚、表示部１４のＬＥＤライトが装備された本体１のケース部分の厚みが他のケース部分の厚みより薄い構成となっている。
これにより、表示部１４は、通常、外観上見えないものであるが、電池残量が特定レベル以下となった場合に本体ケースを通して点灯又は点滅が認識されるものである。
【００２０】
［ライトスイッチ１５］
ライトスイッチ１５は、ＬＥＤライト１３を点灯又は消灯するためのスイッチである。一度押すとオンになって点灯し、離すとオフとなって消灯するようになっている。
そして、ライトスイッチ１５は、オンで電池残量を検出する指示を後述する制御部に出力し、オフで表示部１４の点灯又は点滅を停止する。
【００２１】
［スピーカー１７］
スピーカー１７は、ブザースイッチピン１６が引き出されると、大音量の警報音を発生させ、ブザースイッチピン１６が元の位置に戻ると警報音が停止するようになっている。
【００２２】
［本体１の底面］
図４に示すように、本体１の底面にはＬＥＤライト１３と、ブザースイッチピン１６が設けられている。
［ＬＥＤライト１３］
ＬＥＤライト１３は、ライトスイッチ１５を押してオンになると点灯し、ライトスイッチ１５を離してオフになると消灯する。
ＬＥＤライト１３は、オレンジ色で、表示部１４の本体内蔵のＬＥＤライトは、赤色である。つまり、ＬＥＤライト１３と表示部１４のライトの色は異なっている。
【００２３】
［ブザースイッチピン１６］
ブザースイッチピン１６は、ストラップが取り付けられ、ストラップを引いてブザースイッチピン１６が引き出されると、スピーカー１７が警報音を発生させ、ブザースイッチピン１６が元の位置に戻ると、スピーカー１７の警報音が停止する。
尚、ブザースイッチピン１６は、ストラップが引っ張られると、ピンの位置が外れるものの、ピンが落下することがない落下防止用のスイッチピンとなっている。
【００２４】
［本体１の平面］
図１，２に示すように、本体１の平面には、リング状のリング部２１が形成され、そのリング部２１には、カラビナ部２２が取り付けられている。
【００２５】
［リング部２１］
リング部２１は、「Ｏ」の形状となっている。
［カラビナ部２２］
カラビナ部２２は、カラビナフック（ナスカン）で、一端がリング部２１に接続し、他端が一部開閉可能な環状で、開閉用のツメが設けられている。
【００２６】
［本体１の背面］
図２，３に示すように、本体１の背面には、中心部に電池カバー１８が設けられている。
電池カバー１８には、本体１をランドセルに固定するベルトが取り付けられる貫通孔を備えたベルト通部１９が形成されている。
更に、図３に示すように、ネジ２０を取り外すと、ベルト通部１９を持ち上げて背面表面のカバー１８を取り外すことができ、そして、電池交換ができるようになっている。
【００２７】
［本体１の内部］
また、図に示していないが、本体１の内部には、電源となる電池が収納され、本ブザーを制御する制御回路（制御部）が設けられている。
［電池］
電池は、小型・軽量でありながら大きなブザー音を発生させるために単４形乾電池１本を使用する。単４形電池は、ユーザー近くの店舗（コンビニエンスストア等）で入手しやすい。
【００２８】
［制御部］
制御部は、電池を電源として各部の動作を制御している。
具体的には、制御部は、ブザースイッチピン１６に接続するストラップが引っ張られて、ブザースイッチピン１６が引き出されてオンになると、スピーカー１７を鳴動（吹鳴）して大音量の警報音を発生させる。
ブザースイッチ１６を元の位置に戻すと、制御部がそれを感知してスピーカー１７を停止して警報音を止めるようになっている
【００２９】
また、制御部は、ライトスイッチ１５を押してオンになると、ＬＥＤライト１３を点灯し、ライトスイッチ１５を離してオフになると、ＬＥＤライト１３を消灯する。
加えて、制御部は、ライトスイッチ１５がオンになると、電池残量を検出し、特定の電圧レベル以下になったか否かを判定し、特定の電圧レベル以下になったと判定すると、表示部１４を点灯又は点滅させる。
【００３０】
ここで、特定の電圧レベルとして、例えば、スピーカー１７を１時間程度連続して吹鳴させることを想定すると、１．２Ｖに設定することが考えられる。但し、連続吹鳴可能な時間を短くするなら、設定電圧レベルを０．８〜１．０Ｖ程度にしてもよい。
【００３１】
また、制御部は、ライトスイッチ１５がオフになると、表示部１４の点灯又は点滅を停止する。尚、制御部は、表示部１４での点灯又は点滅の表示を、ＬＥＤライト１３が点灯してから特定時間（予め定められた一定時間）だけ行うようにしてもよい。
【００３２】
［実施の形態の効果］
本ブザーによれば、ライトスイッチ１５をオンしてＬＥＤライト１３を点灯させるタイミングで、電池残量が特定レベル以下になっている場合には、表示部１４を点灯又は点滅させて、電池交換を知らせることができるので、ＬＥＤライト１３を使用するときに使用者は直ちに電池交換が必要であることを認識でき、防犯機能を高める効果がある。
【００３３】
つまり、本ブザーによれば、使用者が見ていないときに電池残量の不足を報知する従来の防犯ブザーのような構成ではないから、使用者への報知を効果的に行うことができるものである。
【産業上の利用可能性】
【００３４】
本考案は、使用者がＬＥＤライトを使用するときに防犯ブザーを動作させるための電池残量が十分であるのか否かを認識できるＬＥＤライト付き防犯ブザーに適している。
【符号の説明】
【００３５】
１...本体、  １１...蓋部、  １２...箱部、  １３...ＬＥＤライト、  １４...表示部、  １５...ＬＥＤライトスイッチ（ライトスイッチ）、  １６...防犯ブザースイッチピン（ブザースイッチピン）、  １７...スピーカー、  １８...電池カバー、  １９...ベルト通部、  ２０...ネジ、  ２１...リング部、  ２２...カラビナ部
【図１】
0003206713.tif 000003
【図２】
0003206713.tif 000004
【図３】
0003206713.tif 000005
【図４】
0003206713.tif 000006